(57)【要約】  本発明は、土または岩の材料内に孔２を掘削し、詳細には衝撃掘削または回転式衝撃掘削し、かつアンカーを形成するための方法および装置に関する。本発明によれば、ボーリング孔２は、ドリルビット４を挿入することによって形成され、ボーリング工程の間、ドリルビット４に結合されたテンション要素１０が、ボーリング孔２内に導入される。ボーリング孔２が完成されるとすぐに、ボーリングロッド５が、ドリルビット４から分離されかつボーリング孔２から取り外される。ボーリングロッド５は、中空スペース２２を備え、この中空スペース２２は、ボーリングロッド５の長手方向に実質的に延び、かつボーリングロッド５がボーリング孔２から取り外されたとき、ボーリング孔２内に硬化可能な流体を導入する役割をする。ボーリング孔の内壁上に据え付けるためのアンカー要素または固定要素１４が、ドリル面の反対の端部でドリルビット４および／またはテンション要素１０に提供される。テンション要素１０は、ボーリング孔２から突出した端部１２で、回転または捩りを受け、それによってテンショニングまたは中心合わせのためのそれらの有効長を短縮し、したがって硬化可能な材料が完全に硬化する前に、テンション要素１０の中心合わせおよび任意の一時的なテンショニングを行うことができる。
2007530824.tif 000002
【特許請求の範囲】
【請求項１】
土または岩の材料内に孔（２）を掘削し、詳細には衝撃掘削または回転式衝撃掘削し、かつ前記孔（２）内にアンカーを形成するための方法であり、ボーリング孔（２）が、ドリルロッドアセンブリ（５）に取り付けられたドリルビット（４）の導入によって形成され、掘削プロシジャの間、ドリルビット（４）に結合されたテンション要素（１０）が、ボーリング孔（２）内に導入され、ボーリング孔（２）の完成後すぐに、ドリルロッドアセンブリ（５）が、ドリルビット（４）から分離されかつボーリング孔（２）から取り外され、ボーリング孔（２）からドリルロッドアセンブリ（５）を取り外す間、硬化可能な流体が、ドリルロッドアセンブリ（５）に備えられた中空スペース（２２）を通ってボーリング孔（２）内に導入される、方法であって、
ドリルビット（４）および／またはテンション要素（１０）が、ボーリング孔の内部に面する端部領域でボーリング孔の壁に固定され、かつテンション要素（１０）のテンショニングおよび／または中心合わせが、テンション要素（１０）の有効長を短縮しながら、部分的変形または捩りによって行われることを特徴とする方法。
【請求項２】
テンション要素（１０）の前記テンショニングおよび／または中心合わせが、ドリルロッドアセンブリ（５）の取り外しおよび硬化可能な流体の導入の後に行われることを特徴とする、請求項１に記載の方法。
【請求項３】
テンション要素（１０）が、それ自体知られている方法で、ドリルロッドアセンブリ（５）を実質的に径方向に囲む複数のワイヤまたはロープからなり、かつボーリング孔（２）を掘削する間、ボーリング孔の壁に対して非回転的な方法で取り付けられることを特徴とする、請求項１または２に記載の方法。
【請求項４】
テンション要素（１０）が、ドリルビット（４）の作動面から離れて面するドリルビット端部に配置されたスリーブ形状要素（９）に固定されることを特徴とする、請求項１、２または３に記載の方法。
【請求項５】
スリーブ形状要素（９）が、ドリルビット（４）の作動面から離れて面するドリルビット端部に固定されることを特徴とする、請求項４に記載の方法。
【請求項６】
スリーブ形状要素（９）が、テンション要素（１０）の前記テンショニングおよび／または中心合わせの間、スリーブ形状要素（９）の周辺および／または長手方向の延長部の少なくとも部分領域にわたって拡大されることを特徴とする、請求項４または５に記載の方法。
【請求項７】
ボーリング孔（２）を硬化可能な流体で満たした後、硬化可能な流体を凝固させるそれ自体知られている方法で、さらなる変形または捩りによってテンション要素（１０）のさらなるテンショニングが行われることを特徴とする、請求項１から６のいずれか一項に記載の方法。
【請求項８】
土または岩の材料内に孔（２）を掘削し、詳細には衝撃掘削または回転式衝撃掘削し、かつアンカーを形成するための装置であり、ボーリング孔（２）が、ドリルビット（４）の導入によって形成され、掘削プロシジャの間、ドリルビット（４）に結合されたテンション要素（１０）が、ボーリング孔（２）内に導入され、ボーリング孔（２）の完成後すぐに、ドリルロッドアセンブリ（５）が、ドリルビット（４）から分離されかつボーリング孔（２）から取り外され、ドリルロッドアセンブリ（５）が、中空スペース（２２）を伴って形成され、該中空スペース（２２）が、ドリルロッドアセンブリ（５）の長手方向に実質的に延び、かつボーリング孔（２）からのドリルロッドアセンブリ（５）の取り外しの間、ボーリング孔（２）への硬化可能な流体の導入が提供される、装置であって、
ボーリング孔の内壁に据え付けるためのアンカー要素または固定要素（１４）が、ドリルビット（４）の作動面から離れて面する端部でドリルビット（４）に、および／またはテンション要素（１０）に提供され、ならびに、テンショニングまたは中心合わせのために、テンション要素（１０）が、ボーリング孔（２）から突出したテンション要素（１０）の端部（１２）で、有効長を短縮しながら、変形または捩りを受けることができることを特徴とする装置。
【請求項９】
テンション要素（１０）が、それ自体知られた方法で、ドリルロッドアセンブリ（５）を実質的に径方向に囲む複数のワイヤまたはロープ（１０）からなり、かつボーリング孔（２）を形成する間、ボーリング孔の壁に対して非回転的な方法でドリルビット（４）に取り付けられることを特徴とする、請求項８に記載の装置。
【請求項１０】
スリーブ形状要素（９）が、作動面から離れて面するドリルビット端部に、テンション要素（１０）がスリーブ形状要素（９）に固定されて、ドリルビット（４）またはドリルビット（４）と協働する衝撃シュー（８）に取り付けられることを特徴とする、請求項８または９に記載の装置。
【請求項１１】
スリーブ形状要素（９）が、長手方向に延びるスリット（１６）を含み、かつテンション要素（１０）の前記テンショニングおよび／または中心合わせの間、拡大され得ることを特徴とする、請求項１０に記載の装置。
【請求項１２】
スリーブ形状要素（９）が、ドリルビット（４）の作動面から延びかつ拡大する外径をもつ固定領域（２０）で、ドリルビット（４）またはドリルビット（４）と協働する衝撃シュー（８）に固定されることを特徴とする、請求項１０または１１に記載の装置。
【請求項１３】
固定要素が、少なくとも１つのフック（１４）など、特に、ジャケット管（４）および／またはスリーブ形状要素（９）の外周から突出した折りたたみ式フックからなることを特徴とする、請求項７から１２のいずれか一項に記載の装置。
【発明の詳細な説明】
【技術分野】
【０００１】
本発明は、土または岩の材料内に孔を掘削し、詳細には衝撃掘削または回転式衝撃掘削し、かつ前記孔内にアンカーを形成するための方法に関し、ボーリング孔が、ドリルロッドアセンブリに取り付けられたドリルビットの導入によって形成され、掘削プロシジャの間、ドリルビットに結合されたテンション要素が、ボーリング孔内に導入され、ボーリング孔の完成後すぐに、ドリルロッドアセンブリが、ドリルビットから分離されかつボーリング孔から取り外され、ボーリング孔からドリルロッドアセンブリを取り外す間、硬化可能な流体が、ドリルロッドアセンブリに備えられた中空スペースを通してボーリング孔内に導入される。本発明は、また、土または岩の材料内に孔を掘削し、詳細には衝撃掘削または回転式衝撃掘削し、かつアンカーを形成するための装置に関し、ボーリング孔が、ドリルビットの導入によって形成され、掘削プロシジャの間、ドリルビットに結合されたテンション要素が、ボーリング孔内に導入され、ドリルロッドアセンブリが、ボーリング孔の完成後すぐに、ドリルビットから分離されかつボーリング孔から取り外され、ドリルロッドアセンブリは、中空スペースを伴って形成され、この中空スペースは、ドリルロッドアセンブリの長手方向に実質的に延び、かつボーリング孔からのドリルロッドアセンブリの取り外しの間、硬化可能な流体のボーリング孔内への導入が提供される。
【背景技術】
【０００２】
上で規定された種類の方法および装置を、例えば、ＤＥ−Ａ  １  ６３４  ２３７から知ることができる。土の中にテンションロッドを製作するためのその知られている方法では、テンション要素またはテンションストリングが、ドリルビットおよびドリルロッドアセンブリを含む掘削機器でボーリング孔内に導入され、硬化可能な流体が、ボーリング孔が完成されるとすぐに、中空のドリルロッドアセンブリを通ってボーリング孔内に導入される。その知られている方法および装置は、詳細には、テンション要素を、掘削プロシジャの間に同時にボーリング孔内に導入することを目的とする。なぜなら、以前に知られている方法によれば、ボーリング孔の完成および掘削装置の取り外し後すぐに、テンション要素は、硬化可能な流体のボーリング孔への導入がその後に続く分離した動作ステップで、ボーリング孔内に導入されるからである。それらの知られている構成は、もしテンション要素が、硬化可能な流体の凝固の前にテンショニングされたら、前記凝固の前にテンション要素の据え付けまたは固定が提供されないので、テンション要素を、すぐにボーリング孔から引き抜きかつボーリング孔から取り外されるため、硬化可能な流体の凝固が、テンション要素のテンショニングおよび中心合わせを待たねばならないという欠点を含んでいた。
【発明の開示】
【発明が解決しようとする課題】
【０００３】
最初に規定された種類の方法および装置から、本発明は、ボーリング孔の完成および硬化可能な流体の導入後、実質的に即時に、長い長さを任意に有するボーリング孔に、任意に長く続く硬化可能な流体の硬化を待つ必要なしに、テンション要素の中心合わせと少なくとも最初のまたは一時的なテンショニングとを可能とすることを目的とする。
【課題を解決するための手段】
【０００４】
これらの目的を解決するために、最初に規定された種類の方法は、ボーリング孔端の内部に面する端部領域のドリルビットおよび／またはテンション要素が、ボーリング孔の壁に固定されることと、テンション要素のテンショニングおよび／または中心合わせが、テンション要素の有効長を短縮しながら、部分的変形または捩りによって行われることとを、本質的に特徴とする。本発明によれば、ドリルビットおよび／またはテンション要素が、ボーリング孔の壁、詳細にはボーリング孔の内部に面する端部に固定されることにより、次に、テンション要素が、ボーリング孔の外側から引張応力を受けることをできるようにし、それによって、中空のドリルロッドアセンブリを通してボーリング孔の内部に導入された硬化可能な流体の凝固の前でも、テンション要素の中心合わせを行い、かつ／または少なくともテンション要素の一時的なテンショニングを行う。テンション要素のそのような一時的なテンショニングおよび／または中心合わせは、テンション要素が、ボーリング孔内で全体の長さにわたって適切に延ばされ、かつボーリング孔内で一様に分布するように構成され、したがって、硬化可能な材料の最後の凝固およびテンション要素のさらなるテンショニングの後、ボーリング孔の全断面にわたる一様な力の導入および分布が、テンション要素によって保護されることを保証する。したがって、本発明によれば、例えば、従来技術におけるように硬化可能な材料の凝固が、テンション要素のテンショニングを待たねばならないならば、ボーリング孔の断面にわたっておそらく一様でない力の導入および分布の結果になるであろう、それらテンション要素の導入およびボーリング孔の駆動の間、テンション要素が、ボーリング孔内に実質的にゆるく配置されかつ曲がった領域またはバックルを任意に形成することを防ぐことができる。ドリルビットおよび／またはドリルビットに連結されたテンション要素を固定することによって、ならびに本発明によって提供されるようにそれらの有効長を短縮しながら、テンション要素の中心合わせまたは少なくとも暫定的なテンショニングによって、テンション要素のそのような一様でない配置は防止され、詳細には、すべてのテンション要素が、硬化可能な材料の凝固後、相応に大きな力の導入および吸収を可能とするために、ボーリング孔の断面にわたって、かつ適切にテンショニングされて線形に延びるように、実質的に一様に分布されるように構成されることが、信頼性高く保証されるであろう。
【０００５】
好ましい実施形態によれば、特に、テンション要素の中心合わせおよびテンショニングのための変形または捩りの間、実質的にボーリング孔の中心に配置され、かつ硬化可能な流体がそれを通ってボーリング孔の内部に導入されるドリルロッドアセンブリによる影響を、懸念する必要がないように、ドリルロッドアセンブリの取り外し、および硬化可能な流体の導入の後で、テンション要素の前記テンショニングおよび／または中心合わせが、行われることが提案される。
【０００６】
ボーリング孔の断面にわたって一様に分布されるように提供される大きな力の導入のために、さらなる好ましい実施形態によれば、それ自体知られている方法で、テンション要素が、実質的に径方向にドリルロッドアセンブリを囲み、かつボーリング孔の掘削の間、ボーリング孔の壁に対して非回転的な方法で取り付けられる、複数のワイヤまたはロープからなることが想定される。テンション要素を形成するために、ドリルロッドアセンブリの周りで実質的に径方向に配置されたワイヤまたはロープの適切な数により、一様な力の導入が、テンション要素によって続いて保証され、さらに、テンション要素の導入を、掘削プロシジャの間に信頼性高く行うことができる。そうする場合、本発明によれば、任意に提供されるドリルビット、したがってドリルロッドアセンブリの回転運動にもかかわらず、同時にテンション要素の有効長を短縮しながら、掘削プロシジャの間に、ドリルロッドアセンブリによって画定されるボーリング孔の軸の周りにおけるテンション要素の任意の変形または戻りを避けるために、テンション要素が、ボーリング孔の壁に対して非回転的な方法で取り付けられることが提供される。
【０００７】
特に掘削プロシジャの間にテンション要素の適切な取り付けまたは収納のために、さらなる好ましい実施形態によれば、テンション要素は、ドリルビットの作動面から離れて面するドリルビット端部に配置されたスリーブ形状要素に固定されることが提供される。
【０００８】
ドリルビットの掘削運動における掘削プロシジャの間、テンション要素の導入のために構造的に簡単で信頼性の高い結合を保証するために、さらなる好ましい実施形態によれば、スリーブ形状要素が、作動面から離れて面するドリルビット端部に固定されることが提供される。
【０００９】
上ですでに指摘されたように、本発明は、次の中心あわせおよび次のテンション要素の少なくとも一時的なテンショニングのために、特にボーリング孔の内部に面する端部へのドリルビットおよび／またはテンション要素の固定を提供する。本発明による方法のさらなる好ましい実施形態に対応するように、テンション要素の前記テンショニングおよび／または中心合わせの間、スリーブ形状要素が、その周辺および／または長手方向の延長部の少なくとも部分領域にわたって拡大される点において、特にボーリング孔の内部に面する端部領域内におけるそのような安定した固定に役立つことができる。テンション要素をテンショニングすることによって、ボーリング孔からの抜き出しに対する第１の暫定的な個別の固定とは別に、こうして、スリーブ形状要素の拡大によって、ボーリング孔からの抜き出しに対する強められた力が生み出され、それによってボーリング孔の内壁への当接が起こるように、スリーブ形状要素が、ボーリング孔からの抜き出し移動の方向に拡大されることができる。
【００１０】
すでに上で示したように、硬化可能な流体の凝固の後、テンション要素の追加のテンショニングができ、この点に関して、さらなる好ましい実施形態によれば、硬化可能な流体でボーリング孔を充てんし、かつそれ自体知られている硬化可能な流体を凝固した後、さらなる変形または捩りによるテンション要素のさらなるテンショニングが行われることが、提案される。
【００１１】
最初に述べた目的を解決するために、さらに、上で識別されたタイプの装置は、ボーリング孔の内壁に据え付けるためのアンカーまたは固定要素が、ドリルビットに作動面から離れて面する端部、および／またはテンション要素に提供されることと、テンショニングまたは中心合わせのためにテンション要素が、ボーリング孔から突出したそれらの端部でそれらテンション要素の有効長を短縮しながら、変形または捩りを受けることができることとを本質的に特徴とする。したがって、硬化可能な材料の凝固前に、次の中心合わせおよび／またはテンション要素の少なくとも一時的なまたは暫定的なテンショニングを可能にするように、ドリルビットおよび／またはテンション要素を、特にボーリング孔の内部に面するそれらの端部で信頼性高く固定することができる。特に簡単な方法によるテンション要素の有効長のそのような短縮は、ボーリング孔の断面にわたるテンション要素の適切な分布を提供し、かつ力の一様な導入および吸収を保証するために、テンション要素の変形または捩りによって実現することができる。
【００１２】
力の一様な分布を導入しまたは吸収するために、好ましい方法で、テンション要素が、ドリルロッドアセンブリを実質的に径方向に囲み、かつボーリング孔の形成の間、ボーリング孔の壁に対して非回転的な方法でドリルビットに取り付けられる、それ自体知られている方法で複数のワイヤまたはロープからなることが、さらに提案される。それらテンション要素の導入の間、ボーリング孔の壁に対して非回転的な方法でドリルビットにテンション要素を取り付けることによって、信頼性の高い導入が、さらに保証されるであろう。
【００１３】
掘削プロシジャの間、テンション要素の信頼性高い同伴のために、さらなる好ましい実施形態によれば、テンション要素がスリーブ形状要素に固定された状態で、作動面から離れて面するドリルビット端部で、スリーブ形状要素が、ドリルビットまたはドリルビットと協働する衝撃シューに取り付けられることが提供される。
【００１４】
前記中心合わせまたは少なくとも一時的なテンショニングのために、ドリルビットおよび／またはテンション要素の固定または据え付けを支持するために、さらなる好ましい実施形態によれば、スリーブ形状要素は、長手方向に延びるスリットを含み、テンション要素の前記テンショニングおよび／または中心合わせの間、拡大できることが提供される。
【００１５】
スリーブ形状要素を介したテンション要素の構造的に簡単で信頼性の高い固定、ならびに中心合わせまたはテンショニングの間の信頼性の高い拡大を、スリーブ形状要素が、本発明による装置のさらなる好ましい実施形態に対応するように、ドリルビットの作動面から延び、かつ増大する外径をもつ固定領域で、ドリルビットまたはドリルビットと協働する衝撃シューに固定される点において、さらに保証するであろう。
【００１６】
特にボーリング孔の内部に面する端部での装置の信頼性が高く適切な固定または定着のために、さらなる好ましい実施形態によれば、固定要素は、少なくとも１つのフックなど、特に、ドリルビットおよび／またはスリーブ形状要素の外周から突出した折りたたみ式フックからなることが提供される。そのようなフックは、周囲の岩または土の材料中に突き刺さり、したがってジャケット管のテンショニングの間に固定を提供する。特に、ボーリング孔の内部に面するフック端部にフックの旋回軸を配置することによって、テンショニングの間に、実質的に自動的なフックの出現が、装置またはテンション要素の後退によって引き起こされ、したがって固定またはアンカー要素を引出しまたはそれらを抜き出すための追加の任意選択である高価な機構を、必要としないであろう。
【００１７】
以下において、本発明が、添付の図面中に概略的に示された例示的な実施形態として、より詳細に説明される。
【発明を実施するための最良の形態】
【００１８】
図１ａ、図１ｂ、図１ｃは、概略的に３で示された土または岩の材料内に孔２を掘削するための、詳細には衝撃掘削または回転式衝撃掘削するための全体的に１で示された装置を使用した、ボーリング孔の製作における様々なステップを示す。
【００１９】
図１ａ、図１ｂ、図１ｃおよび図２による説明において、概略的に示されたドリルビット４が、提供される。このドリルビット４は、ドリルビット４に示された掘削要素６でボーリング孔２を形成するために、図１ａに５で示されたドリルロッドアセンブリを介して、詳細には示されていない駆動装置によって、衝撃および／または回転式衝撃運動に作動される。
【００２０】
特に図３からより明らかに見ることができる衝撃シュー８は、特に図３および図４ａ、図４ｂに関連して以下により詳細に説明される中間要素７を介して、ドリルビット４に続き、掘削プロシジャの間、スリーブ形状要素９は、具体的にはロープまたはワイヤで形成されたテンション要素１０を固定しかつ同伴するために、衝撃シュー８に取り付けられる。
【００２１】
図１ａに示されるように、テンション要素１０が、ボーリング孔２の壁に対して非回転的な方法で矢印１１の方向にボーリング孔内に導入され、図２からより明らかに見られるように、スリーブ形状要素９の領域に固定されるのに加えて、ベアリングディスクまたはベアリングリング１２が、ワイヤまたはロープによって形成されたテンション要素１０を取り付けるために、特に、土または岩の材料３から突出する端部に提供される。
【００２２】
ボーリング孔２が完成するとすぐに、ドリルロッドアセンブリ５が、駆動または掘削方向１１と反対方向の矢印１３の方向にボーリング孔から取り外され、ドリルロッドアセンブリ５の取り外しの間、硬化可能な流体が、完成されたボーリング孔２内に導入される。
【００２３】
その状態が図１ｂに示される、ボーリング孔２の内部に硬化可能な流体を同時導入の下でのドリルロッドアセンブリ５を取り外した後で、図４ａ、図４ｂに関してより詳細に説明されるように、固定要素またはアンカー要素１４は、中間要素７からボーリング孔の壁２に対して当接される。中間要素７のアンカー要素１４の挿入によって、ドリルビット４およびスリーブ形状要素９を固定した後、テンション要素の有効長を低減し、ならびにボーリング孔２の内部でテンション要素１０の中心合わせおよび少なくとも暫定的にテンショニングを行いながら、図１ｃの矢印１５の方向にベアリングリングまたはベアリングディスク１２の回転が行われて、テンション要素１０の捩れをもたらす。このとき、ボーリング孔２内に導入された硬化可能な流体は、まだ完全に凝固していないので、テンション要素１０の所望の中心合わせおよび少なくとも暫定的なテンショニングを、信頼性高く行うことができる。そうする場合、図１ｃで示される中心合わせおよびテンショニングプロシジャの間、アンカー要素１４は、完全な装置１のボーリング孔２からの取り外しに逆らうように作用する。
【００２４】
さらに、スリーブ形状要素９は、長手方向に延びるスリット１６を含むように構成され、スリーブ形状要素９は、図３により明らかに示されるように、特にボーリング孔の内部に面する端部１７で円錐状にテーパー形状をもつように構成され、したがって衝撃シュー８のそれぞれのカウンター面に当接する。テンション要素１０をテンショニングまたは回転しまたは捩るとき、スリーブ形状要素９は、抜き出し１３の方向にわずかに動かされ、長手方向のスリット１６を備えることによりスリーブ形状要素９の外周の拡大ができ、スリーブ形状要素９が、明瞭にするように図１ｃには示されていないボーリング孔の内壁に当接するように動かされ、それによって、矢印１３の方向の抜き出しに対する固定要素１４のアンカーの効果が支持される。
【００２５】
硬化可能な材料が凝固するとすぐに、ベアリングリングまたはベアリングディスク１２の領域のテンション要素１０のさらなるテンショニングを行うことができる。
【００２６】
図２から、テンション要素１０が、ボーリング孔の内部から離れて面するスリーブ形状要素９の端部に設けられた適切なソケット１８内に固定されることは明らかである。さらに、長手方向に延びるスリット１６が、この場合も図２に示され、追加のスリット１９が、適切な拡大を可能とするために、ボーリング孔の内部に面する端部領域に示される。
【００２７】
図３による拡大された図解から、図３には詳細には示されていないテンション要素のテンショニングの間、ボーリング孔の内部に面するスリーブ形状要素９の部分領域２５、および続いて、長手方向のスリット１６を介する、継続して配置されたスリーブ形状要素９の円筒形の部分領域の拡大が、この場合も１３で示される抜き出し方向のスリーブ形状要素９の移動によって行われるように、スリーブ形状要素９の円錐状にテーパー形状をもつ部分領域２５と同じような方法で、ボーリング孔の内部から離れて面するその端部に、円錐状に広がる部分領域２０を備える衝撃シュー８が、ドリルビット４に続くことは明らかである。
【００２８】
さらに、図３は、その先頭部分が２１によって示されるドリルロッドアセンブリが、掘削プロシジャの間、ドリルビットまたはドリルヘッド４の領域に冷却材を導入するために、例えば中央の中空スペースまたはチャネル２２を含むだけではなく、図１ａに示されるように、ボーリング孔の完成後すぐにドリルロッドアセンブリ５を取り外す間、中央の供給開口または中央のチャネル２２を介したボーリング孔２の内部への硬化可能な流体の同時の導入を可能にするために、供給開口２３も提供されることを示す。
【００２９】
図４ａ、図４ｂは、特にボーリング孔の内部に面する側部で、ドリルビット４および／またはテンション要素１０およびスリーブ形状要素９を、開きまたは据え付けるために使用される固定要素１４を概略的に示す。固定要素１４が、軸２４の周りで旋回可能なフック形状の要素によって形成され、かつ図１ａ、図１ｃの矢印１３の方向にテンション要素１０のテンショニングおよび中心合わせの間、概略的に２で示されるボーリング孔の内壁と係合され、それによって、図４ｂに示される中間状態から離れて、信頼性の高いアンカーを提供するために、図４ａに示された状態に到達することは明らかである。したがって、７で示された中間要素の周辺の付近で、ドリルビット４に実質的にすぐに継続して、相応に一様に分布した方法で配置することができる固定要素１４は、アンカー形成装置１がボーリング孔２から抜き出されることを防止するように、テンション要素１０の次の図１ｃの矢印１３の方向のテンショニングおよび／または中心合わせの間に、安全なアンカーを提供し、硬化可能な流体の最終の凝固後に、装置１またはアンカー、ならびにその中に収納される硬化可能な流体を使用する、テンション要素１０を介した大きな引張力の導入および吸収を可能にする。
【図面の簡単な説明】
【００３０】
【図１ａ】本発明による装置を使用して本発明による方法を実現する、掘削プロシジャのステップを示す概略側面図である。
【図１ｂ】本発明による装置を使用して本発明による方法を実現する、ドリルロッドアセンブリがすでに取り外された状態における、ドリルビットおよび／またはテンション要素をボーリング孔の壁に固定するステップを示す概略側面図である。
【図１ｃ】本発明による装置を使用して本発明による方法を実現する、テンション要素のテンショニングおよび／または中心合わせのステップを示す概略側面図である。
【図２】本発明の方法を実施するための本発明による装置の概略斜視図である。
【図３】ドリルビットならびにドリルビットの上に続く衝撃シューの領域、およびテンション要素を導入し固定するためのスリーブ形状要素を通る、拡大された縮尺の断面図である。
【図４ａ】装置および／またはテンション要素を、特にボーリング孔の内部に面する端部に固定するために使用される固定要素の拡大された縮尺の概略図であり、完全に抜き出されたまたは拡大された固定要素の状態を示す図である。
【図４ｂ】装置および／またはテンション要素を、特にボーリング孔の内部に面する端部に固定するために使用される固定要素の拡大された縮尺の概略図であり、固定要素の中間位置を示す図である。
【図１ａ】
2007530824.tif 000003
【図１ｂ】
2007530824.tif 000004
【図１ｃ】
2007530824.tif 000005
【図２】
2007530824.tif 000006
【図３】
2007530824.tif 000007
【図４ａ】
2007530824.tif 000008
【図４ｂ】
2007530824.tif 000009
【国際調査報告】
2007530824.tif 000010
2007530824.tif 000011
2007530824.tif 000012
2007530824.tif 000013